(57)【特許請求の範囲】
【請求項１】
本体部と、
前記本体部に対して可動式かつ着脱可能であるカバー部と、を備え、
前記カバー部は、
無線通信により記憶媒体から情報を読み取る情報読取部と、
前記情報読取部に接続され、前記情報読取部により読み取られた情報を外部に出力する情報出力手段と、を備え、
前記本体部は、
前記本体部と前記カバー部との間に配置された対象物の画像を光学的に読み取る画像読取部と、
前記画像読取部を制御する制御基板と、
前記制御基板に接続され、前記画像読取部により読み取られた画像を外部に出力する画像出力手段と、を備え、
記憶媒体を含む対象物が前記カバー部の外側に配置された状態では、前記情報読取部が前記記憶媒体から情報を読み取り、
前記対象物が前記カバー部と前記本体部との間に配置された状態では、前記情報読取部が前記記憶媒体から情報を読み取るとともに、前記画像読取部が前記対象物の画像を読み取ることを特徴とする情報読取装置。
【請求項２】
前記情報読取部は、情報読取機能がオンとされたときに情報の読み取りを行い、
前記画像読取部は、画像読取機能がオンとされたときに画像の読み取りを行うことを特徴とする請求項１に記載の情報読取装置。
【請求項３】
前記画像読取部は、少なくとも前記情報読取部による読取動作中において、前記情報読取部と上下方向に重ならない位置にあることを特徴とする請求項１又は２に記載の情報読取装置。
【請求項４】
前記カバー部の上面には、前記記憶媒体を載置すべき位置を示す形状又はマークが設けられていることを特徴とする請求項１乃至３のいずれか一項に記載の情報読取装置。
【請求項５】
前記情報出力手段は、前記情報読取部に電気的に接続されたコードであり、
前記画像出力手段は、前記制御基板に電気的に接続されたコードである請求項１乃至４のいずれか一項に記載の情報読取装置。
【発明の詳細な説明】
【技術分野】
【０００１】
本発明は、ＩＣカードなどの記憶媒体から情報を読み取る装置に関する。
【背景技術】
【０００２】
対象物の表面を光学的に読み取るスキャナ装置に、ＩＣカードの読取機能を設けたものが知られている。例えば、特許文献１は、ＩＣカード読取装置の本体内部にＩＣカードの読み取りのための通信部を内蔵することを記載している。また、特許文献２は、ＮＦＣカードから情報を読み取るためのアンテナを、薄型スキャナの蓋部と本体部のいずれか一方に内蔵することを記載している。
【先行技術文献】
【特許文献】
【０００３】
【特許文献１】特開２０１０−９７２５５号公報
【特許文献２】特開２０１１−１９３３４９号公報
【発明の概要】
【発明が解決しようとする課題】
【０００４】
特許文献１のＩＣカード読取装置付きスキャナは、ＩＣカード読取装置の周囲に主制御基板や画像読取装置などがあり、金属が多いため、ＩＣカード読取装置の通信特性が劣化する。そのため、金属に対応させた通信部の設計を検討したり、磁性体の設置を検討したりする必要がある。また、画像読取装置を回避した通信部の設置方法を検討する必要があるため、設計が容易ではない。
【０００５】
また、特許文献２の薄型スキャナの構造では、蓋部に読取用のアンテナを設けることを想定しているが、蓋部の外側にあるＩＣカードから情報を読み取ることはできない。
【０００６】
本発明は、可動式のカバーの内側と外側のいずれに記憶媒体を配置した場合でも情報を読み取ることが可能な情報読取装置を提供することを主な目的とする。
【課題を解決するための手段】
【０００７】
本発明の１つの観点では、情報読取装置は、本体部と、前記本体部に対して可動式かつ着脱可能であるカバー部と、を備え、前記カバー部は、無線通信により記憶媒体から情報を読み取る情報読取部と、前記情報読取部に接続され、前記情報読取部により読み取られた情報を外部に出力する情報出力手段と、を備え、前記本体部は、前記本体部と前記カバー部との間に配置された対象物の画像を光学的に読み取る画像読取部と、前記画像読取部を制御する制御基板と、前記制御基板に接続され、前記画像読取部により読み取られた画像を外部に出力する画像出力手段と、を備え、記憶媒体を含む対象物が前記カバー部の外側に配置された状態では、前記情報読取部が前記記憶媒体から情報を読み取り、前記対象物が前記カバー部と前記本体部との間に配置された状態では、前記情報読取部が前記記憶媒体から情報を読み取るとともに、前記画像読取部が前記対象物の画像を読み取る。
【０００８】
上記の情報読取装置は、本体部と、当該本体部に対して可動式かつ着脱可能のカバー部を備える。カバー部は、無線通信により記憶媒体から情報を読み取る情報読取部と、前記情報読取部に接続され前記情報読取部により読み取られた情報を外部に出力する情報出力手段と、を備える。前記本体部は、前記本体部と前記カバー部との間に配置された対象物の画像を光学的に読み取る画像読取部と、前記画像読取部を制御する制御基板と、前記制御基板に接続され、前記画像読取部により読み取られた画像を外部に出力する画像出力手段と、を備える。記憶媒体を含む対象物がカバー部の外側に配置された状態では、情報読取部が前記記憶媒体から情報を読み取る。一方、対象物がカバー部と本体部との間に配置された状態では、情報読取部が前記記憶媒体から情報を読み取るとともに、画像読取部が対象物の画像を読み取る。また、カバー部が本体部に対して着脱可能であるので、必要に応じて、情報読取部の設置位置が異なる複数のカバー部、又は、情報読取部を内蔵しているカバー部と内蔵していないカバー部とを交換して使用することができる。
【０００９】
上記の情報読取装置の一態様では、前記情報読取部は、情報読取機能がオンとされたときに情報の読み取りを行い、前記画像読取部は、画像読取機能がオンとされたときに画像の読み取りを行う。
【００１１】
上記の情報読取装置の他の一態様では、前記画像読取部は、少なくとも前記情報読取部による読取動作中において、前記情報読取部と上下方向に重ならない位置にある。これにより、情報読取部が記憶媒体から情報を読み取っている間に、画像読取部が情報読取部の近傍に移動して磁界強度が低下することを防止できる。
【００１２】
好適な例では、前記カバー部の上面には、前記記憶媒体を載置すべき位置を示す形状又はマークが形成されている。
【図面の簡単な説明】
【００１４】
【図１】実施例に係るスキャナ装置の構成を示す。
【図２】データ読取時に形成される磁界の強度を示すグラフである。
【図３】スキャナ装置によるデータ読取動作の様子を模式的に示す。
【図４】ＩＣカードの読取操作の例を示す。
【図５】パスポートの構成を示す。
【図６】パスポートの読取操作の例を示す。
【図７】ＩＣカードの読取操作の例を示す。
【図８】パスポートの読取操作の例を示す。
【図９】パスポート及びＩＣカードの読取操作の例を示す。
【図１０】パスポート及びＩＣカードの読取操作の例を示す。
【図１１】変形例に係るスキャナ装置の構成を示す。
【発明を実施するための形態】
【００１５】
以下、図面を参照しながら、本発明の実施の形態について説明する。
［構成］
図１は、本発明の実施形態に係るスキャナ装置１の構成を示す。図１（Ａ）は、スキャナ装置１の側面図である。スキャナ装置１は、大別して、本体部１０とカバー部２０とを備える。図１（Ｂ）は、カバー部２０を移動させて本体部１０の上面を露出した状態のスキャナ装置１を上方から見た平面図である。なお、図１（Ｂ）では、カバー部２０の図示を省略している。図１（Ｃ）は、カバー部２０を閉じた状態のスキャナ装置１を上方から見た平面図である。本体部１０は、机などに載置される。カバー部２０は、本体部１０の上面を覆うように設けられる。本体部１０とカバー部２０とは、ヒンジ１５により連結され、カバー部２０はヒンジ１５を中心として矢印２７に示すように回動可能である。
【００１６】
本体部１０は、本体部１０の上面に載置された対象物を光学的に読み取るスキャナ機能を有する。具体的に、本体部１０は、制御基板１１と、ラインセンサ１２と、コード１３と、ガラス面１４とを備える。読取動作時には、ガラス面１４上に対象物が載置される。ラインセンサ１２は、多数の受像素子が一列に配置されたセンサであり、ガラス面１４の下側を矢印１６のように移動して対象物の画像を撮像する。制御基板１１は、ラインセンサ１２を移動させる制御を行う制御回路、ラインセンサ１２により撮像した画像データを処理する回路などを有する。コード１３は、制御基板１１に接続されており、外部のコンピュータなどと制御基板１１とを電気的に接続する。なお、本発明の本体部１０に搭載されるスキャナ機能の構成はこれに限られるものではなく、他の各種の構成を有するスキャナ機能を本体部１０に搭載しても構わない。
【００１７】
一方、カバー部２０の内部にはＩＣカードリーダ（以下、単に「リーダ」と呼ぶ。）２１が設けられている。リーダ２１は、無線通信によりＩＣカードと通信し、ＩＣカード内に記憶されている情報を読み取る。リーダ２１は、コード２２により外部のＰＣなどと電気的に接続される。
【００１８】
上記の構成において、リーダ２１は本発明の情報読取部の一例であり、ラインセンサ１２は本発明の画像読取部の一例である。また、ＩＣカードは本発明の記憶媒体の一例である。
【００１９】
［磁界強度］
次に、ＩＣカードからの情報の読取時に形成される磁界強度について説明する。リーダの周辺に金属が存在する場合、磁界強度が低下してしまうことが知られている。図２（Ａ）は、リーダ周辺に配置した金属からリーダまでの距離と、磁界強度との関係を示すグラフである。横軸はリーダから金属までの高さ方向の距離を示し、縦軸は磁界強度を示す。図２（Ａ）から理解されるように、リーダと金属との距離が短いほど磁界強度は低下する。
【００２０】
このため、リーダの周辺に金属を配置せざるを得ない場合には、磁性シートを配置することにより、磁界強度の低下を抑制することが行われる。磁性シートを配置することにより、磁界強度の低下を抑制することができる。図２（Ｂ）は、磁性シートの有無と磁界強度との関係を示す。横軸はリーダから金属までの高さ方向の距離を示し、縦軸は磁界強度を示す。一点鎖線のグラフはリーダの上に金属があり、磁性シートを設けなかった場合の磁界強度を示す。破線のグラフは、リーダの上下に金属があり、磁性シートを設けた場合の磁界強度を示す。実線のグラフは、本実施形態のように、リーダの周辺に金属が無い（磁性シートも無い）場合の磁界強度を示す。図２（Ｂ）から理解されるように、磁性シートを設けることにより、磁界強度の低下をある程度抑制することはできるが、リーダの周辺に金属を設けないようにすることにより磁界強度の低下をさらに効果的に防止することができる。よって、本実施形態では、カバー部２０内には極力リーダ２１以外の部品などを設けないことが好ましい。また、本体部１０に内蔵される制御基板１１などもなるべくリーダ２１から遠い位置に配置することが好ましい。
【００２１】
［読取動作］
次に、スキャナ装置１の動作について説明する。なお、以下の説明では、本体部１０のスキャナ機能により光学的に対象物の画像を読み取ることを「画像読取」と表現し、カバー部２０のリーダ２１によりＩＣカードなどの対象物に記憶された情報を読み取ることを「データ読取」と表現して両者を区別する。
【００２２】
まず、本体部１０による画像読取動作について説明する。本体部１０のスキャナ機能により画像読取を行う際には、対象物は本体部１０のガラス面１４上に載置され、カバー部２０が閉じられる。そして、ユーザにより図示しない操作ボタンなどが押されると、ラインセンサ１２が矢印１６の方向に一往復して対象物の画像を撮影する。
【００２３】
次に、カバー部２０内のリーダ２１によるデータ読取動作について説明する。図３は、データ読取動作の様子を模式的に示す。図３（Ａ）は、ＩＣカード３０をスキャナ装置１の内側に配置した状態、即ち、本体部１０のガラス面１４上にＩＣカード３０を配置し、カバー部２０を閉じた状態を示す。この状態でリーダ２１の読取機能（通信機能）をオンにすると、リーダ２１はＩＣカード３０と無線通信し、ＩＣカード３０内に記憶されている情報を読み取る。読み取られた情報は、コード２２を通じて外部のＰＣなどに出力される。なお、図３（Ａ）のようにＩＣカード３０をスキャナ装置１の内側に設置した状態では、リーダ２１によるデータ読取のみならず、本体部１０のスキャナ機能によりＩＣカード３０の画像読取を行うこともできる。
【００２４】
図３（Ｂ）は、ＩＣカード３０をスキャナ装置１の外側に配置した状態、即ち、カバー部２０の上に配置した状態を示す。この場合も、リーダ２１の読取機能（通信機能）をオンにすると、リーダ２１はＩＣカード３０と無線通信し、ＩＣカード３０内に記憶されている情報を読み取ることができる。
【００２５】
このように、本実施形態のスキャナ装置１では、ＩＣカード３０をスキャナ装置１の内側に配置した場合のみならず、外側、即ちカバー部２０の上に配置した場合でも、ＩＣカード３０のデータ読取が可能となる。よって、ＩＣカード３０の画像読取が不要であり、ＩＣカード３０からのデータ読取のみが必要な場合には、単にＩＣカード３０をカバー部２０の上に配置するだけでデータ読取が可能となるので、読取作業を単純化することができる。なお、スキャナ装置１の外側に配置したＩＣカード３０からのデータ読取を可能とするためには、カバー部２０内にはリーダ２１以外の部品などをなるべく設けないことが好ましい。特に、前述のように、カバー部２０内に金属部品などを設けるとデータ読取のためにリーダ２１が形成する磁界の強度が低下してしまい、読み取りが難しくなったり不可能となったりする恐れがある。よって、カバー部２０内には、極力他の部品を設けないこと、少なくとも金属部品を設けないことが好ましい。
【００２６】
リーダ２１によりデータ読取を行う際には、本体部１０のスキャナ機能を停止し、ラインセンサ１２をリーダ２１と上下方向に重ならない位置に退避させることが好ましい。これは、リーダ２１によるデータ読取中にラインセンサ１２がリーダ２１の下方にあると、ラインセンサ１２の影響で磁界強度が低下してリーダ２１によるデータ読取に支障が生じる可能性があるからである。よって、図３（Ａ）のように、スキャナ装置１の内側にＩＣカード３０などの対象物を配置して、対象物のデータ読取と画像読取の両方を行う場合には、両者を同時に行うのではなく、一方の読取後に他方の読取を行うことが好ましい。
【００２７】
［読取操作例］
次に、対象物としてＩＣカード及びパスポートを使用した場合の読取操作例を説明する。
（１）リーダを縦方向に配置し、ＩＣカードを読み取る場合
図４は、カバー部２０内にリーダ２１を縦方向に配置し、本体部１０のガラス面１４上に配置したＩＣカード３０から画像読取及びデータ読取を行う場合の例を示す。リーダ２１を縦方向に配置するとは、リーダ２１の長手方向と、本体部１０及びカバー部２０の長手方向とを一致させて配置することをいう。なお、図４においてはカバー部２０の図示を省略し、カバー部２０に内蔵されているリーダ２１の位置のみを示しているが、実際には、カバー部２０を閉じた状態で読み取りが行われる。
【００２８】
図４（Ａ）に示すように、本体部１０のガラス面１４上にＩＣカード３０を縦方向に配置すれば、リーダ２１とＩＣカード３０とが上下方向に広い面積で対向するので、確実にデータ読取を行うことができる。また、このままの状態で、本体部１０のスキャナ機能によりＩＣカード３０の画像読取を行うこともできる。一方、図４（Ｂ）に示すようにＩＣカード３０を横方向に配置した場合でも、リーダ２１とＩＣカード３０とはある程度の面積で対向するので、リーダ２１に対して十分な電力供給がなされれば、問題なくデータ読取を行うことができる。この場合も、そのままの状態で本体部１０のスキャナ機能によりＩＣカード３０の画像読取を行うことができる。
【００２９】
（２）リーダを縦方向に配置し、パスポートを読み取る場合
まず、パスポートの構造を説明する。図５は、パスポートの構造を示す。図５（Ａ）は、パスポート４０の表紙を示し、図５（Ｂ）はパスポート４０を開いた状態の表紙及び裏表紙を示す。また、図５（Ｃ）は、パスポート４０の内部を示す。図示のように、パスポート４０は冊子となっており、表紙の裏側に顔写真４２と本人の情報などが印刷されている。また、冊子の内部の１ページにＩＣカード４１が内蔵されている。
【００３０】
図６（Ａ）は、本体部１０のガラス面１４上にパスポート４０を開いて配置した状態を示す。なお、カバー部２０の図示は省略し、カバー部２０に内蔵されているリーダ２１の位置のみを示しているが、実際にはカバー部２０を閉じた状態で読み取りが行われる。この状態で、本体部１０のスキャナ機能により、パスポート４０の顔写真４２のページの画像読取を行うことができる。但し、この状態では、リーダ２１とパスポート４０のＩＣカード４１とが遠いためＩＣカード４１のデータ読取ができない。よって、図６（Ｂ）に示すように、パスポート４０を畳んで、ＩＣカード４１がリーダ２１と対向する位置に配置する。これにより、パスポート４０のデータ読取が可能となる。
【００３１】
パスポート４０の画像読取が必要でない場合、又は、図６（Ａ）のようにしてパスポート４０の画像読取が終了した後にデータ読取を行う場合には、図６（Ｃ）に示すように、スキャナ装置１のカバー部２０を閉じた状態でパスポート４０をカバー部２０上に配置することにより、パスポート４０のデータ読取が可能である。なお、カバー部２０の上面には、パスポート４０を配置すべき適切な位置を示す形状やマークなどを設けることが好ましい。図６（Ｃ）の例では、カバー部２０の上面にＬ字の凸部２４を設けている。その代わりに、カバー部２０の上面に例えばパスポート４０の面積とほぼ一致する凹部を形成してもよい。
【００３２】
（３）リーダを横方向に配置し、ＩＣカードを読み取る場合
図７は、カバー部２０内にリーダ２１を横方向に配置し、本体部１０のガラス面１４上に配置したＩＣカード３０から画像読取及びデータ読取を行う場合の例を示す。リーダ２１を横方向に配置するとは、リーダ２１の長手方向と、本体部１０及びカバー部２０の短手方向とを一致させて配置することをいう。なお、図７においては、カバー部２０の図示を省略し、カバー部２０に内蔵されているリーダ２１の位置のみを示しているが、実際には、カバー部２０を閉じた状態で読み取りが行われる。
【００３３】
図７（Ａ）に示すように、本体部１０のガラス面１４上にＩＣカード３０を横方向に配置すれば、リーダ２１とＩＣカード３０とが上下方向に広い面積で対向するので、確実にデータ読取を行うことができる。また、このままの状態で、本体部１０のスキャナ機能によりＩＣカード３０の画像読取を行うこともできる。一方、図７（Ｂ）に示すようにＩＣカード３０を縦方向に配置した場合でも、リーダ２１とＩＣカード３０とはある程度の面積で対向するので、リーダ２１に対して十分な電力供給がなされれば、問題なくデータ読取を行うことができる。この場合も、そのままの状態で、本体部１０のスキャナ機能によりＩＣカード３０の画像読取を行うことができる。
【００３４】
（４）リーダを横方向に配置し、パスポートを読み取る場合
図８（Ａ）は、本体部１０のガラス面１４上にパスポート４０を開いて配置した状態を示す。なお、カバー部２０の図示を省略し、カバー部２０に内蔵されているリーダ２１の位置のみを示している。この状態で、本体部１０のスキャナ機能により、パスポート４０の顔写真４２のページの画像読取を行うことができる。但し、この状態では、リーダ２１とパスポート４０のＩＣカード４１とが遠いためＩＣカード４１のデータ読取ができない。よって、パスポート４０を畳んで、パスポート４０のＩＣカード４１がリーダ２１と対向する位置に配置することにより、パスポート４０のデータ読取を行うことができる。
【００３５】
パスポート４０の画像読取が必要でない場合、又は、図８（Ａ）のようにしてパスポート４０の画像読取が終了した後にデータ読取を行う場合には、図８（Ｂ）に示すように、スキャナ装置１のカバー部２０を閉じた状態でパスポート４０をカバー部２０上に配置することにより、パスポート４０のデータ読取が可能である。本例でも、カバー部２０の上面にＬ字の凸部２４を設けてパスポート４０を配置すべき適切な位置を示している。
【００３６】
（５）パスポートの画像読取とデータ読取を同じ位置で行う例
図９（Ａ）は、パスポート４０の画像読取とデータ読取を同じ位置で行う例を示す。前提として、スキャナ装置１をＡ５サイズより大きいサイズとする。図９（Ａ）は、スキャナ装置１において、本体部１０のガラス面１４上にパスポート４０を開いて配置した状態を示す。カバー部２０の図示は省略するが、カバー部２０内にはリーダ２１が縦方向に配置されているものとする。この場合、本体部１０のスキャナ機能により、開いたパスポート４０の内側のページの画像読取を行うことができる。また、パスポート４０のＩＣカード４１とリーダ２１とが対向しているので、このままの状態でリーダ２１によりパスポート４０のデータ読取を行うこともできる。
【００３７】
図９（Ｂ）は、図９（Ａ）と同様のスキャナ装置１において、本体部１０のガラス面１４上にＩＣカード３０を配置した状態を示す。この状態で、本体部１０のスキャナ機能によりＩＣカード３０の画像読取を行うことができる。また、ＩＣカード３０とリーダ２１とが対向しているので、このままの状態でリーダ２１によりＩＣカード３０のデータ読取を行うこともできる。
【００３８】
図１０は、パスポート４０の画像読取とデータ読取を同じ位置で行う他の例を示す。前提として、スキャナ装置１をＡ５サイズより大きいサイズとする。図１０（Ａ）に示すように、パスポート４０を開いて本体部１０のガラス面１４上に縦長に配置する。リーダ２１は、このときのＩＣカード４１の位置に対応する位置にくるように、カバー部２０内に予め内蔵されている。これにより、本体部１０のスキャナ機能によりパスポート４０の開いたページの画像読取を行うことができ、そのままの状態でリーダ２１によりパスポート４０からデータ読取を行うこともできる。
【００３９】
図１０（Ａ）のスキャナ装置１の場合、ＩＣカード３０を本体部１０のガラス面１４の右上に配置しても、ＩＣカード３０とリーダ２１とが離れてしまいデータ読取は難しい。よって、図１０（Ｂ）に示すように、ＩＣカード３０を配置すべき適切な位置を示すマーク１５を設けることが好ましい。これにより、ＩＣカード３０をリーダ２１と対向する適切な位置に配置することが容易になる。図１０（Ｂ）の状態において、本体部１０のスキャナ機能によりＩＣカード３０の画像読取を行うことができ、そのままの状態でリーダ２１によりＩＣカードのデータ読取を行うこともできる。
【００４０】
［変形例］
図１１（Ａ）に変形例に係るスキャナ装置１ａを示す。図示のように、スキャナ装置のカバー部２０を本体部１０から着脱可能に構成することができる。これにより、例えば、対象物の種類などに応じて、異なる位置にリーダ２１が配置されている複数のカバー部２０を交換して本体部１０と組み合わせて使用することができる。
【００４１】
図１１（Ｂ）は他の変形例に係るスキャナ装置１ｂを示す。この例では、リーダ２１を内蔵していないカバー部２０ｂを本体部１０と組み合わせて使用する。即ち、ＩＣカードからのデータ読取が必要でない場面では、リーダ２１を内蔵していないカバー部２０ｂを使用する。また、用途に合わせて、リーダ２１を内蔵するカバー部２０とリーダ２１を内蔵していないカバー部２０ｂとを選択してスキャナ装置を構成することができる。本体部１０を共通化することにより、製品のコストダウンが可能となる。
【符号の説明】
【００４２】
１、１ａ、１ｂ  スキャナ装置
１０  本体部
１１  制御基板
１２  ラインセンサ
１４  ガラス面
２０、２０ｂ  カバー部
２１  ＩＣカードリーダ
３０、４１  ＩＣカード
４０  パスポート
【図１】
0006589568.tif 000002
【図２】
0006589568.tif 000003
【図３】
0006589568.tif 000004
【図４】
0006589568.tif 000005
【図５】
0006589568.tif 000006
【図６】
0006589568.tif 000007
【図７】
0006589568.tif 000008
【図８】
0006589568.tif 000009
【図９】
0006589568.tif 000010
【図１０】
0006589568.tif 000011
【図１１】
0006589568.tif 000012